(57)【要約】【課題】複数の携帯端末の間で近距離用の無線通信手段を介して通信を行う場合に短時間で無線接続する。【解決手段】携帯電話機２０と携帯電話機３０との間のＢｌｕｅｔｏｏｔｈ　仕様の無線接続の手続が無線基地局４０を介して行われる。この無線接続が完了した後、無線基地局４０を介した通信が切断され、携帯電話機２０と携帯電話機３０との間でＢｌｕｅｔｏｏｔｈ　仕様の無線通信が行われる。【選択図】　　　　図１
2004088172.tif 000002
【特許請求の範囲】
【請求項１】
第１の携帯端末と、通信回線を介して該第１の携帯端末と通信を行う第２の携帯端末とを備え、
前記第１の携帯端末は、前記第２の携帯端末と所定の距離の範囲内で無線接続するための第１の近距離無線通信手段を有し、
前記第２の携帯端末は、前記第１の携帯端末と前記所定の距離の範囲内で無線接続するための第２の近距離無線通信手段を有する携帯端末システムであって、
前記第１の携帯端末は、
前記第１の近距離無線通信手段に前記第２の携帯端末を無線接続するための接続要求を前記通信回線を介して該第２の携帯端末へ送出し、前記無線接続が完了した後、前記通信回線を介した通信を切断する構成とされ、かつ、
前記第２の携帯端末は、
前記第１の携帯端末から前記通信回線を介して前記接続要求が送出された後、前記第２の近距離無線通信手段を介して該第１の携帯端末と無線接続する構成とされていることを特徴とする携帯端末システム。
【請求項２】
前記第１及び第２の近距離無線通信手段は、
Ｂｌｕｅｔｏｏｔｈ　（ブルートゥース）の無線通信仕様に基づいて構成されていることを特徴とする請求項１記載の携帯端末システム。
【請求項３】
前記通信回線は、
一般電話回線又はインターネットであることを特徴とする請求項１又は２記載の携帯端末システム。
【請求項４】
第１の携帯端末と、通信回線を介して該第１の携帯端末と通信を行う第２の携帯端末とを備え、
前記第１の携帯端末は、前記第２の携帯端末と所定の距離の範囲内で無線接続するための第１の近距離無線通信手段を有し、
前記第２の携帯端末は、前記第１の携帯端末と前記所定の距離の範囲内で無線接続するための第２の近距離無線通信手段を有する携帯端末システムに用いられ、　前記第１の携帯端末を前記第２の携帯端末に無線接続する通信制御方法であって、
前記第１の携帯端末が、前記第１の近距離無線通信手段に前記第２の携帯端末を無線接続するための接続要求を前記通信回線を介して該第２の携帯端末へ送出する接続要求送出処理と、
前記第１の携帯端末から前記通信回線を介して前記接続要求が送出された後、前記第２の携帯端末が、前記第２の近距離無線通信手段を介して該第１の携帯端末と無線接続する接続処理と、
前記接続処理における前記無線接続が完了した後、前記第１の携帯端末が、前記通信回線を介した通信を切断する回線切断処理とを行うことを特徴とする通信制御方法。
【請求項５】
前記第１及び第２の近距離無線通信手段は、
Ｂｌｕｅｔｏｏｔｈ　（ブルートゥース）の無線通信仕様に基づいて構成されていることを特徴とする請求項４記載の通信制御方法。
【請求項６】
前記通信回線は、
一般電話回線又はインターネットであることを特徴とする請求項４又は５記載の通信制御方法。
【請求項７】
遠隔制御の対象となる無線端末と、該無線端末に対して所定の距離の範囲内で無線接続されて遠隔制御を行う通信端末とを備えてなる無線端末遠隔制御システムであって、
前記通信端末は、通信回線に接続される構成とされ、かつ、
前記通信回線に接続され、前記所定の距離を超えた場所から前記通信回線及び通信端末を介して前記無線端末に遠隔制御を行う制御用端末が設けられていることを特徴とする無線端末遠隔制御システム。
【請求項８】
前記無線端末は、
前記通信端末と前記所定の距離の範囲内で無線接続するための第１の近距離無線通信手段を有し、かつ、
前記通信端末は、
前記無線端末と前記所定の距離の範囲内で無線接続するための第２の近距離無線通信手段を有し、前記制御用端末から前記通信回線を介して接続要求が送出されたとき、該制御用端末と回線接続すると共に前記第２の近距離無線通信手段を介して前記無線端末の前記第１の近距離無線通信手段と無線接続する構成とされていることを特徴とする請求項７記載の無線端末遠隔制御システム。
【請求項９】
前記第１及び第２の近距離無線通信手段は、
Ｂｌｕｅｔｏｏｔｈ　（ブルートゥース）の無線通信仕様に基づいて構成されていることを特徴とする請求項８記載の無線端末遠隔制御システム。
【請求項１０】
前記通信回線は、
一般電話回線又はインターネットであることを特徴とする請求項７乃至９記載の無線端末遠隔制御システム。
【請求項１１】
遠隔制御の対象となる無線端末と、該無線端末に対して所定の距離の範囲内で無線接続されて遠隔制御を行う通信端末とを備えてなる無線端末遠隔制御システムに用いられ、前記所定の距離を超えた場所から前記無線端末を遠隔制御する遠隔制御方法であって、
前記通信端末を通信回線に接続し、該通信回線に接続された制御用端末から該通信回線及び前記通信端末を介して前記無線端末に対して遠隔制御を行うことを特徴とする遠隔制御方法。
【請求項１２】
前記通信回線は、
一般電話回線又はインターネットであることを特徴とする請求項１１記載の遠隔制御方法。
【発明の詳細な説明】
【０００１】
【発明の属する技術分野】
この発明は、携帯端末システム、通信制御方法、無線端末遠隔制御システム、及び遠隔制御方法に係り、特に、複数の携帯端末の間で近距離用の無線通信手段を介して通信を行う場合に用いて好適な携帯端末システム及び通信制御方法、近距離用の無線通信手段を有する無線端末を遠距離の場所から遠隔制御する場合に用いて好適な無線端末遠隔制御システム及び遠隔制御方法に関する。
【０００２】
【従来の技術】
互いに近距離にある２つの携帯端末を無線接続して相互に通信を行う携帯端末システムでは、近距離用の無線通信手段としてＢｌｕｅｔｏｏｔｈ　（ブルートゥース）が用いられることが多い。Ｂｌｕｅｔｏｏｔｈ　は、たとえばノートパソコンとデジタルカメラ間など、携帯端末用の無線インタフェースとして策定されたものであり、２．４ＧＨｚ帯の電波が使用され、最大１Ｍビット／秒のデータ伝送が約１０ｍ程度の距離（標準の出力；１ｍＷ）で行われる。また、オプションとして、空中線電力を上げて１００ｍ（出力；１００ｍＷ）まで通信距離を伸ばす仕様も規定されている。Ｂｌｕｅｔｏｏｔｈ　は、免許なしで使用可能なため、汎用性が高い。
【０００３】
この種の携帯端末システムは、従来では例えば図１１に示すように、携帯電話機１，２と、無線基地局３とから構成されている。携帯電話機１は、Ｂｌｕｅｔｏｏｔｈの仕様に基づく送受信部１ａを有し、同送受信部１ａを介して携帯電話機２と所定の距離の範囲内で無線接続すると共に、無線基地局３を介して携帯電話機２と通信を行う。携帯電話機２は、Ｂｌｕｅｔｏｏｔｈ　の仕様に基づく送受信部２ａを有し、同送受信部２ａを介して携帯電話機１と所定の距離の範囲内で無線接続すると共に、無線基地局３を介して携帯電話機１と通信を行う。無線基地局３は、受け持ちの小ゾーン内で携帯電話機１，２と通信を行う。
【０００４】
この携帯端末システムでは、携帯電話機１と携帯電話機２との距離がＢｌｕｅｔｏｏｔｈ　の仕様に基づく距離を超えている場合、同携帯電話機１と同携帯電話機２との間で、無線基地局３、図示しない在圏移動通信交換局及び関門移動通信交換局を介して通信が行われる。また、携帯電話機１と携帯電話機２との距離がＢｌｕｅｔｏｏｔｈ　の仕様に基づく距離の範囲内である場合、携帯電話のサービスを利用する必要がないので、ユーザが携帯電話機１を操作することにより、携帯電話機１の送受信部１ａから携帯電話機２の送受信部２ａに対して問合わせが行われ、同送受信部２ａから同送受信部１ａに応答が行われる。この後、送受信部１ａから送受信部２ａに対して接続の命令が行われ、同送受信部２ａから同送受信部１ａに応答が行われる。そして、送受信部１ａから送受信部２ａに対して認証の命令が行われ、同送受信部２ａから同送受信部１ａに応答が行われる。このようにして送受信部１ａと送受信部２ａとの間で無線接続が完了し、通信が行われる。この場合、通信料金は不要になる。
【０００５】
また、遠隔制御の対象となる無線端末と、同無線端末に対してＢｌｕｅｔｏｏｔｈ　の仕様に基づく距離の範囲内で無線接続されて遠隔制御を行う通信端末とを備える無線端末遠隔制御システムがある。従来、この種の技術としては、例えば特開２００２−５７９３４号公報に記載されたものがある。
図１２は、同公報に記載された従来の無線端末遠隔制御システムの要部の構成を示す図である。
この無線端末遠隔制御システムは、同図に示すように、パソコン（パーソナルコンピュータ）１１と、デジタルカメラ１２とから構成されている。パソコン１１は、Ｂｌｕｅｔｏｏｔｈ　の仕様に基づく送受信部１１ａを有し、同送受信部１１ａを介してデジタルカメラ１２と所定の距離の範囲内で無線接続する。デジタルカメラ１２は、パソコン１１による遠隔制御の対象となるものであり、Ｂｌｕｅｔｏｏｔｈ　の仕様に基づく送受信部１２ａを有し、同送受信部１２ａを介してパソコン１１と所定の距離の範囲内で無線接続される。
【０００６】
この無線端末遠隔制御システムでは、パソコン１１とデジタルカメラ１２との距離がＢｌｕｅｔｏｏｔｈ　の仕様に基づく距離の範囲内である場合、送受信部１１ａと送受信部１２ａとが無線接続されてパソコン１１からデジタルカメラ１２が遠隔制御される。この場合、たとえば、パソコン１１の制御に基づいてデジタルカメラ１２が周囲の画像を撮像し、撮像された画像が同パソコン１１に伝送されて表示される。
【０００７】
【発明が解決しようとする課題】
しかしながら、上記従来の携帯端末システムでは、次のような問題点があった。
すなわち、図１１に示す携帯端末システムでは、送受信部１ａと送受信部２ａとの間で接続が完了するまでのユーザの手動による操作の回数が多く、また、無線接続が完了するまでの所要時間が１０秒程度あるため、ユーザにとって煩雑に感じられることがあるという問題点がある。
【０００８】
また、図１２に示す無線端末遠隔制御システムでは、パソコン１１からデジタルカメラ１２が遠隔制御される距離が、標準仕様（出力；１ｍＷ）で１０ｍ、オプションの仕様（出力；１００ｍＷ）でも１００ｍ程度の近距離であり、これ以上の遠距離の場所からは遠隔制御できないという問題点がある。
【０００９】
この発明は、上述の事情に鑑みてなされたもので、近距離用の無線通信手段を有する複数の携帯端末の間を短時間で接続する携帯端末システム及び通信制御方法、近距離用の無線通信手段を有する無線端末を遠距離の場所から遠隔制御する無線端末遠隔制御システム及び遠隔制御方法を提供することを目的としている。
【００１０】
【課題を解決するための手段】
上記課題を解決するために、請求項１記載の発明は、第１の携帯端末と、通信回線を介して該第１の携帯端末と通信を行う第２の携帯端末とを備え、前記第１の携帯端末は、前記第２の携帯端末と所定の距離の範囲内で無線接続するための第１の近距離無線通信手段を有し、前記第２の携帯端末は、前記第１の携帯端末と前記所定の距離の範囲内で無線接続するための第２の近距離無線通信手段を有する携帯端末システムに係り、前記第１の携帯端末は、前記第１の近距離無線通信手段に前記第２の携帯端末を無線接続するための接続要求を前記通信回線を介して該第２の携帯端末へ送出し、前記無線接続が完了した後、前記通信回線を介した通信を切断する構成とされ、かつ、前記第２の携帯端末は、前記第１の携帯端末から前記通信回線を介して前記接続要求が送出された後、前記第２の近距離無線通信手段を介して該第１の携帯端末と無線接続する構成とされていることを特徴としている。
【００１１】
請求項２記載の発明は、請求項１記載の携帯端末システムに係り、前記第１及び第２の近距離無線通信手段は、Ｂｌｕｅｔｏｏｔｈ　（ブルートゥース）の無線通信仕様に基づいて構成されていることを特徴としている。
【００１２】
請求項３記載の発明は、請求項１又は２記載の携帯端末システムに係り、前記通信回線は、一般電話回線又はインターネットであることを特徴としている。
【００１３】
請求項４記載の発明は、第１の携帯端末と、通信回線を介して該第１の携帯端末と通信を行う第２の携帯端末とを備え、前記第１の携帯端末は、前記第２の携帯端末と所定の距離の範囲内で無線接続するための第１の近距離無線通信手段を有し、前記第２の携帯端末は、前記第１の携帯端末と前記所定の距離の範囲内で無線接続するための第２の近距離無線通信手段を有する携帯端末システムに用いられ、前記第１の携帯端末を前記第２の携帯端末に無線接続する通信制御方法に係り、前記第１の携帯端末が、前記第１の近距離無線通信手段に前記第２の携帯端末を無線接続するための接続要求を前記通信回線を介して該第２の携帯端末へ送出する接続要求送出処理と、前記第１の携帯端末から前記通信回線を介して前記接続要求が送出された後、前記第２の携帯端末が、前記第２の近距離無線通信手段を介して該第１の携帯端末と無線接続する接続処理と、前記接続処理における前記無線接続が完了した後、前記第１の携帯端末が、前記通信回線を介した通信を切断する回線切断処理とを行うことを特徴としている。
【００１４】
請求項５記載の発明は、請求項４記載の通信制御方法に係り、前記第１及び第２の近距離無線通信手段は、Ｂｌｕｅｔｏｏｔｈ　（ブルートゥース）の無線通信仕様に基づいて構成されていることを特徴としている。
【００１５】
請求項６記載の発明は、請求項４又は５記載の通信制御方法に係り、前記通信回線は、一般電話回線又はインターネットであることを特徴としている。
【００１６】
請求項７記載の発明は、遠隔制御の対象となる無線端末と、該無線端末に対して所定の距離の範囲内で無線接続されて遠隔制御を行う通信端末とを備えてなる無線端末遠隔制御システムに係り、前記通信端末は、通信回線に接続される構成とされ、かつ、前記通信回線に接続され、前記所定の距離を超えた場所から前記通信回線及び通信端末を介して前記無線端末に遠隔制御を行う制御用端末が設けられていることを特徴としている。
【００１７】
請求項８記載の発明は、請求項７記載の無線端末遠隔制御システムに係り、前記無線端末は、前記通信端末と前記所定の距離の範囲内で無線接続するための第１の近距離無線通信手段を有し、かつ、前記通信端末は、前記無線端末と前記所定の距離の範囲内で無線接続するための第２の近距離無線通信手段を有し、前記制御用端末から前記通信回線を介して接続要求が送出されたとき、該制御用端末と回線接続すると共に前記第２の近距離無線通信手段を介して前記無線端末の前記第１の近距離無線通信手段と無線接続する構成とされていることを特徴としている。
【００１８】
請求項９記載の発明は、請求項８記載の無線端末遠隔制御システムに係り、前記第１及び第２の近距離無線通信手段は、Ｂｌｕｅｔｏｏｔｈ　（ブルートゥース）の無線通信仕様に基づいて構成されていることを特徴としている。
【００１９】
請求項１０記載の発明は、請求項７乃至９記載の無線端末遠隔制御システムに係り、前記通信回線は、一般電話回線又はインターネットであることを特徴としている。
【００２０】
請求項１１記載の発明は、遠隔制御の対象となる無線端末と、該無線端末に対して所定の距離の範囲内で無線接続されて遠隔制御を行う通信端末とを備えてなる無線端末遠隔制御システムに用いられ、前記所定の距離を超えた場所から前記無線端末を遠隔制御する遠隔制御方法に係り、前記通信端末を通信回線に接続し、該通信回線に接続された制御用端末から該通信回線及び前記通信端末を介して前記無線端末に対して遠隔制御を行うことを特徴としている。
【００２１】
請求項１２記載の発明は、請求項１１記載の遠隔制御方法に係り、前記通信回線は、一般電話回線又はインターネットであることを特徴としている。
【００２２】
【発明の実施の形態】
以下、図面を参照して、この発明の実施の形態について説明する。
第１の実施形態
図１は、この発明の第１の実施形態である携帯端末システムの電気的構成を示すブロック図である。
この形態の携帯端末システムは、図１に示すように、携帯電話機２０，３０と、無線基地局４０とから構成されている。携帯電話機２０は、Ｂｌｕｅｔｏｏｔｈ　の無線通信仕様に基づく送受信部２１を有し、同送受信部２１を介して携帯電話機３０と所定の距離の範囲内で無線接続すると共に、無線基地局４０を介して携帯電話機３０と通信を行う。特に、この実施形態では、携帯電話機２０は、送受信部２１に携帯電話機３０を無線接続するための接続要求を無線基地局４０を介して同携帯電話機３０へ送出し、この無線接続が完了した後、同無線基地局４０を介した通信を切断する。
【００２３】
携帯電話機３０は、Ｂｌｕｅｔｏｏｔｈ　の無線通信仕様に基づく送受信部３１を有し、同送受信部３１を介して携帯電話機２０と所定の距離の範囲内で無線接続すると共に、無線基地局４０を介して携帯電話機２０と通信を行う。特に、この実施形態では、携帯電話機３０は、携帯電話機２０から無線基地局４０を介して前記接続要求が送出された後、送受信部３１を介して同携帯電話機２０と無線接続する。無線基地局４０は、図示しない在圏移動通信交換局及び関門移動通信交換局を介して一般電話回線に接続され、受け持ちの小ゾーン内で携帯電話機２０，３０と通信を行う。
【００２４】
図２は、図１中の携帯電話機２０の電気的構成を示すブロック図である。
この携帯電話機２０は、図２に示すように、送受信部２１と、Ｂｌｕｅｔｏｏｔｈ　ホスト２２と、プロトコル処理部２３と、送受信部２４と、メモリ２５と、表示部２６と、音声部２７と、キー入力部２８と、ＭＰＵ（マイクロプロセッサ）２９とから構成されている。送受信部２１は、Ｂｌｕｅｔｏｏｔｈ　仕様のデータを無線通信する。Ｂｌｕｅｔｏｏｔｈ　ホスト２２は、送受信部２１を制御する。プロトコル処理部２３は、無線通信手順を制御する。送受信部２４は、無線基地局４０に無線接続されて無線通信を行う。メモリ２５は、電話帳などの各種データを格納する。表示部２６は、たとえば、ＬＣＤ（液晶ディスプレイ）などで構成され、各種データを表示する。音声部２７は、利用者の音声を受けて送話を行うマイクロホンや、各種の情報に対応した音声を発生するスピーカで構成されている。キー入力部２８は、各種操作を行うための複数のキーで構成されている。ＭＰＵ２９は、携帯電話機２０全体の制御を行う。
【００２５】
図３は、図１中の携帯電話機３０の電気的構成を示すブロック図である。
この携帯電話機３０は、図３に示すように、送受信部３１と、Ｂｌｕｅｔｏｏｔｈ　ホスト３２と、プロトコル処理部３３と、送受信部３４と、メモリ３５と、表示部３６と、音声部３７と、キー入力部３８と、ＭＰＵ３９とから構成され、これらは、図２に示す携帯電話機２０の各部とそれぞれ同様の機能を有している。
【００２６】
図４は、図１の携帯端末システムの動作を説明するためのフローチャートである。
この図を参照して、この形態の通信制御方法について説明する。
携帯電話機２０と携帯電話機３０との距離がＢｌｕｅｔｏｏｔｈ　の仕様に基づく距離の範囲内である場合、まず、ステップＡ１において、ユーザの操作により、携帯電話機２０のキー入力部２８からＢｌｕｅｔｏｏｔｈ　の無線通信手段の接続相手（すなわち、ユーザが送受信部２１に無線接続したい相手）の電話番号を入力するか、又は、メモリ２５に記録された電話帳を表示部２６に表示し、同電話帳からユーザが無線接続したい接続相手を選択する。入力がない場合はステップＡ１に戻り、入力待ちの状態になる。次に、携帯電話機２０から相手側の携帯電話機３０に発呼を行い、送受信部２１に携帯電話機３０を無線接続するための接続要求を無線基地局４０を介して同携帯電話機３０へ送出する（ステップＡ２、接続要求送出処理）。ステップＡ３において、携帯電話機２０から無線基地局４０を介して携帯電話機３０にたとえばＴＣＰ／ＩＰ（Ｔｒａｎｓｍｉｓｓｉｏｎ　Ｃｏｎｔｒｏｌ　Ｐｒｏｔｏｃｏｌ／ＩｎｔｅｒｎｅｔＰｒｏｔｏｃｏｌ　）のプロトコルに基づいて接続する。相手側の携帯電話機３０が通話中などにより、無線基地局４０を含む電話回線が開通しない場合には、ステップＡ１１において、たとえば「電話回線不能」のメッセージを表示部２６に表示して終了する。
【００２７】
電話回線が開通した後、携帯電話機２０の送受信部２１に対して接続を受け入れることができる待ち受け状態にする（ステップＡ４）。この場合、ＭＰＵ２９からＢｌｕｅｔｏｏｔｈ　ホスト２２に対してＨＣＩ（Ｈｏｓｔ　Ｃｏｎｔｒｏｌｌｅｒ　Ｉｎｔｅｒｆａｃｅ　）コマンド“ｗｒｉｔｅ＿ｓｃａｎ＿ｅｎａｂｌｅ　”を送る。同コマンドにより、送受信部２１が待ち受け状態に入る。この後、ステップＡ５において、携帯電話機２０に装備されているＢｌｕｅｔｏｏｔｈ　仕様の携帯電話機３０の　ＢＤ＿ＡＤＤＲ（アドレス）を電話回線を介して携帯電話機３０に送信する。ＢＤ＿ＡＤＤＲ　（アドレス）は、Ｂｌｕｅｔｏｏｔｈ　仕様の機器に固有の６バイトのデータであり、同ＢＤ＿ＡＤＤＲ　を用いて送受信部２１の接続相手を特定して接続要求を行うことができる。このステップＡ５では、携帯電話機２０のＢＤ＿ＡＤＤＲ　が電話回線を介して送信されるので、携帯電話機２０の送受信部２１から携帯電話機３０の送受信部３１に対する問合わせ（Ｂｌｕｅｔｏｏｔｈ　仕様の通常の接続手順）が不要となる。
【００２８】
この後、ステップＡ６において、ＰＩＮコード（Ｐｅｒｓｏｎａｌ　Ｉｄｅｎｔｉｆｉｃａｔｉｏｎ　Ｎｕｍｂｅｒ）を携帯電話機２０から携帯電話機３０に電話回線を介して送出する。ＰＩＮコードは、Ｂｌｕｅｔｏｏｔｈ　仕様の通信に必要な認証データであり、携帯電話機２０の電話番号や、あらかじめ同携帯電話機２０のメモリ２５に格納されている値が用いられる。ステップＡ７において、ユーザの操作により、携帯電話機２０から携帯電話機３０に対してＢｌｕｅｔｏｏｔｈ　仕様の接続要求が行われる。この場合、Ｂｌｕｅｔｏｏｔｈ　ホスト２２が送受信部２１を介して携帯電話機３０の送受信部３１に接続処理（Ｐａｇｅ）を行う。そして、携帯電話機３０は、送受信部３１を介して携帯電話機２０と無線接続される（ステップＡ８、接続処理）。
【００２９】
ステップＡ９において、ステップＡ６で送出されたＰＩＮコードに基づいてＢｌｕｅｔｏｏｔｈ　仕様の接続の認証手続きが行われる。認証が完了した後、Ｂｌｕｅｔｏｏｔｈ　ホスト２２からＭＰＵ２９に接続完了の旨を表す信号“Ｃｏｍｍａｎｄ＿Ｃｏｍｐｌｅｔｅ”が返信され、Ｂｌｕｅｔｏｏｔｈ　の無線接続の手続きが完了する。この手続きが完了した後、携帯電話機２０のＭＰＵ２９は無線基地局４０を介した通信の切断を行い（ステップＡ１０、回線切断処理）、Ｂｌｕｅｔｏｏｔｈ　仕様の無線接続が完了する。無線基地局４０を介した通信が切断された後では、通信料金が不要になる。なお、前記ステップＡ８において、携帯電話機２０と携帯電話機３０との距離がＢｌｕｅｔｏｏｔｈ　の仕様に基づく距離を超えている場合、表示部２６に「接続不可」の旨が表示され（ステップＡ１２）、ステップＡ１０へ進む。
【００３０】
以上のように、この第１の実施形態では、携帯電話機２０と携帯電話機３０との間のＢｌｕｅｔｏｏｔｈ　仕様の接続手続が無線基地局４０を介して行われるので、ユーザによるキー入力の操作がステップＡ１とステップＡ７の２つのステップのみで良く、接続に必要な操作及び時間が短縮される。
【００３１】
第２の実施形態
図５は、この発明の第２の実施形態である無線端末遠隔制御システムの電気的構成を示すブロック図である。
この形態の無線端末遠隔制御システムは、同図に示すように、通信端末５０と、デジタルカメラ６０と、携帯電話機７０と、無線基地局８０とから構成されている。通信端末５０は、たとえばノートパソコンなどで構成され、Ｂｌｕｅｔｏｏｔｈ　の仕様に基づく送受信部５１を有し、同送受信部５１を介してデジタルカメラ６０と所定の距離の範囲内で無線接続する。特に、この実施形態では、通信端末５０は、電話回線Ｗを介して無線基地局８０に接続され、携帯電話機７０から同無線基地局８０を介して接続要求が送出されたとき、同携帯電話機７０と回線接続すると共に送受信部５１を介してデジタルカメラ６０の送受信部６１と無線接続する構成になっている。
【００３２】
デジタルカメラ６０は、Ｂｌｕｅｔｏｏｔｈ　の仕様に基づく送受信部６１を有し、同送受信部６１を介して通信端末５０と所定の距離の範囲内で無線接続する。携帯電話機７０は、無線基地局８０に接続され、同無線基地局８０及び通信端末５０を介してデジタルカメラ６０に対して遠隔制御を行う。無線基地局８０は、図示しない在圏移動通信交換局及び関門移動通信交換局を介して一般電話回線に接続され、受け持ちの小ゾーン内で携帯電話機７０と通信を行う。
【００３３】
図６は、図５中の通信端末５０の電気的構成を示すブロック図である。
この通信端末５０は、図６に示すように、送受信部５１と、Ｂｌｕｅｔｏｏｔｈ　ホスト５２と、プロトコル処理部５３と、電話回線接続部５４と、メモリ５５と、表示部５６と、音声部５７と、キー入力部５８と、ＭＰＵ５９とから構成されている。送受信部５１は、Ｂｌｕｅｔｏｏｔｈ　仕様のデータを無線通信する。Ｂｌｕｅｔｏｏｔｈ　ホスト５２は、送受信部５１を制御する。プロトコル処理部５３は、電話回線接続部５４の通信手順を制御する。電話回線接続部５４は、電話回線Ｗを介して無線基地局８０に接続され、プロトコル処理部５３による制御に基づいて通信を行う。メモリ５５は、電話帳などの各種データを格納する。表示部５６は、たとえばＬＣＤなどで構成され、各種データを表示する。音声部５７は、利用者の音声を受けて送話を行うマイクロホンや、各種の情報に対応した音声を発生するスピーカで構成されている。キー入力部５８は、各種操作を行うための複数のキーで構成されている。ＭＰＵ５９は、通信端末５０全体の制御を行う。
【００３４】
図７は、図５中のデジタルカメラ６０の電気的構成を示すブロック図である。このデジタルカメラ６０は、図７に示すように、送受信部６１と、Ｂｌｕｅｔｏｏｔｈホスト６２と、撮像部６３と、ＭＰＵ６４とから構成されている。送受信部６１は、Ｂｌｕｅｔｏｏｔｈ　仕様のデータを無線通信する。Ｂｌｕｅｔｏｏｔｈ　ホスト６２は、送受信部６１を制御する。撮像部６３は、たとえばＣＣＤ（Ｃｈａｒｇｅ　Ｃｏｕｐｌｅｄ　Ｄｅｖｉｃｅ　、電荷結合素子）などで構成され、画像を取り込む。ＭＰＵ６４は、デジタルカメラ６０全体の制御を行う。
【００３５】
図８は、図５中の携帯電話機７０の電気的構成を示すブロック図である。
この携帯電話機７０は、図８に示すように、プロトコル処理部７１と、電話回線接続部７２と、メモリ７３と、表示部７４と、音声部７５と、キー入力部７６と、ＭＰＵ７７とから構成されている。プロトコル処理部７１は、送受信部７２の無線通信手順を制御する。送受信部７２は、無線基地局８０に無線接続されて無線通信を行う。メモリ７３は、電話帳などの各種データを格納する。表示部７４は、たとえば、ＬＣＤなどで構成され、各種データを表示する。音声部７５は、利用者の音声を受けて送話を行うマイクロホンや、各種の情報に対応した音声を発生するスピーカで構成されている。キー入力部７６は、各種操作を行うための複数のキーで構成されている。ＭＰＵ７７は、携帯電話機７０全体の制御を行う。
【００３６】
図９は図５の無線端末遠隔制御システムの動作を説明するためのシーケンス図、及び図１０がＢｌｕｅｔｏｏｔｈ　仕様の命令を送信するためのフレームのフォーマットの一例を示す図である。
これらの図を参照して、この形態の遠隔制御方法について説明する。
携帯電話機７０から通信端末５０に接続を要求する場合、図９に示すように、まず、同携帯電話機７０のＭＰＵ７７は、無線基地局８０に対して回線接続のために回線接続要求を行う（ステップＳ０１）。無線基地局８０は、これを受けて通信端末５０に回線接続要求を行う（ステップＳ０２）。通信端末５０は、これに応答して回線接続応答を無線基地局８０に返信し（ステップＳ０３）、同無線基地局８０が接続要求元の携帯電話機７０に回線接続応答を返信する（ステップＳ０４）。以上の手順で、携帯電話機７０と通信端末５０との間で回線接続が完了する。
【００３７】
回線接続が完了した後、携帯電話機７０と通信端末５０との間でパケット通信を可能とするために、ＴＣＰ／ＩＰ（Ｔｒａｎｓｍｉｓｓｉｏｎ　Ｃｏｎｔｒｏｌ　Ｐｒｏｔｏｃｏｌ／ＩｎｔｅｒｎｅｔＰｒｏｔｏｃｏｌ　）で規定された通信手段を確立する。この場合、携帯電話機７０のＭＰＵ７７は、無線基地局８０に対してＴＣＰ／ＩＰ接続要求を行う（ステップＳ０５）。無線基地局８０は、これを受けて通信端末５０にＴＣＰ／ＩＰ接続要求を行う（ステップＳ０６）。通信端末５０は、これに応答してＴＣＰ／ＩＰ接続応答を無線基地局８０に返信し（ステップＳ０７）、同無線基地局８０が接続要求元の携帯電話機７０にＴＣＰ／ＩＰ接続応答を返信する（ステップＳ０８）。以上の手順で、携帯電話機７０と通信端末５０との間でＴＣＰ／ＩＰ接続が完了する。
【００３８】
ＴＣＰ／ＩＰ接続が完了した携帯電話機７０と通信端末５０との間で電話回線（無線基地局８０など）を介してパケットの送受信が行われ、通信端末５０の送受信部５１からデジタルカメラ６０の送受信部６１に対してＢｌｕｅｔｏｏｔｈ　仕様の接続が要求される。この場合、携帯電話機７０のＭＰＵ７７は、リモートコマンドを無線基地局８０を介して通信端末５０に送信する（ステップＳ１１，Ｓ１２）。このリモートコマンドには、Ｂｌｕｅｔｏｏｔｈ　仕様の接続を行うためのＢｌｕｅｔｏｏｔｈ　を起動する命令、Ｂｌｕｅｔｏｏｔｈ　仕様の機器に固有のアドレス（ＢＤ＿ＡＤＤＲ　）、及び接続認証を行うためのＰＩＮコード（Ｐｅｒｓｏｎａｌ　Ｉｄｅｎｔｉｆｉｃａｔｉｏｎ　Ｎｕｍｂｅｒ、Ｂｌｕｅｔｏｏｔｈ　通信に必要な認証データ、ユーザのみが知っているもの）が含まれている。
【００３９】
たとえば図１０に示すように、このリモートコマンドは、開始フラグと、アドレス部と、制御部と、プロトコルと、情報部と、ＦＣＳ（フレームチェックシーケンス）と、終結フラグとから構成されている。開始フラグは、“０１１１１１１０”の固定したビットパターンで構成され、フレームの開始を示すと共に、フレームの同期をとるために用いられる。アドレス部は、８ビット（たとえば、“１１１１１１１１”）で構成され、通信相手の宛先又は自機のアドレスを示す。制御部は、通信相手に対してデータ転送などを指令するコマンドや、その応答であるレスポンスの種別を示す。プロトコルは、たとえば、ＴＣＰ／ＩＰプロトコルである旨を表す。
【００４０】
情報部は、伝送する情報が入っている部分であり、データや制御情報などのビット構成には制限がない。この情報部は、Ｂｌｕｅｔｏｏｔｈ　制御用ヘッダと、内容部と、データ部とから構成されている。Ｂｌｕｅｔｏｏｔｈ　制御用ヘッダは、Ｂｌｕｅｔｏｏｔｈ　仕様の制御を行うことを識別するための情報を表す。内容部は、データ部の内容を表すものであり、たとえば、
“０”：命令コマンド、“１”：ＢＤ＿ＡＤＤＲ　、“２”：ＰＩＮコード
のように規定される。データ部は、これらの内容に対応したデータを表す。ＦＣＳは、１６ビット（２ｂｙｔｅ）で構成され、アドレス部から情報部までの内容が正確に伝送されたか否かを確認するための誤り検出用に用いられる。終結フラグは、“０１１１１１１１”の固定したビットパターンで構成され、フレームの終結を示すと共に、フレームの同期をとるために用いられる。
【００４１】
このリモートコマンドに基づいて、通信端末５０のＢｌｕｅｔｏｏｔｈ　ホスト５２から送受信部５１に接続命令が送出される（ステップＳ１３）。送受信部５１は、これを受けてデジタルカメラ６０の送受信部６１に対して問い合わせ（Ｉｎｑｕｉｒｙ　）を行う（ステップＳ１４）。この問い合わせ（Ｉｎｑｕｉｒｙ　）は、無線接続のための鍵などを含むメッセージであり、デジタルカメラ６０の送受信部６１を介してＢｌｕｅｔｏｏｔｈ　ホスト６２に送信される。
【００４２】
Ｂｌｕｅｔｏｏｔｈ　ホスト６２は、これを受けて問い合わせ（Ｉｎｑｕｉｒｙ　）に対する応答を送受信部６１を介して行う（ステップＳ１５）。通信端末５０は、これを受けてＢｌｕｅｔｏｏｔｈ　ホスト５２に対してデジタルカメラ６０の送受信部６１に接続（Ｐａｇｅ）する命令を発行する（ステップＳ１６）。デジタルカメラ６０のＢｌｕｅｔｏｏｔｈ　ホスト６２は、これを受けて応答を送受信部６１を介して通信端末５０の送受信部５１へ返信する（ステップＳ１７）。通信端末５０は、送受信部５１を介して認証の命令をデジタルカメラ６０の送受信部６１へ送付し、前記ステップＳ１１，Ｓ１２で受信したＰＩＮコードを用いて認証を行う（ステップＳ１８）。デジタルカメラ６０は、この認証に対して通信端末５０の送受信部５１へ応答し（ステップＳ１９）、同通信端末５０にＢｌｕｅｔｏｏｔｈ　仕様の接続応答を返信する（ステップＳ２０）。そして、Ｂｌｕｅｔｏｏｔｈ　仕様の接続が完了する。
【００４３】
通信端末５０のＭＰＵ５９は、これを受けて前記ステップＳ１１におけるリモートコマンドに対する接続応答を無線基地局８０に返信する（ステップＳ２１）。無線基地局８０は、これを受けて携帯電話機７０に接続応答を送信する（ステップＳ２２）。これらの手続きが完了した後、携帯電話機７０とデジタルカメラ６０との間の通信が開通し、同携帯電話機７０から同デジタルカメラ６０に対する機器制御（ステップＳ２３）、及び同デジタルカメラ６０で撮像された画像データの同携帯電話機７０への送信（ステップＳ２４）が行われる。
【００４４】
携帯電話機７０から通信端末５０に回線切断を要求する場合、同携帯電話機７０から同無線基地局８０に対して回線切断要求を行う（ステップＳ３１）。無線基地局８０は、これを受けて接続相手先の通信端末５０に回線切断要求を行う（ステップＳ３２）。この場合、通信端末５０のＭＰＵ５９は、Ｂｌｕｅｔｏｏｔｈ　ホスト５２に対して切断要求を行い（ステップＳ３３）、同通信端末５０の送受信部５１及びデジタルカメラ６０の送受信部６１を介してＢｌｕｅｔｏｏｔｈ　ホスト６２に対して切断要求を行う（ステップＳ３４）。デジタルカメラ６０のＢｌｕｅｔｏｏｔｈ　ホスト６２は、これを受けて切断応答を送受信部６１及び通信端末５０の送受信部５１を介してＢｌｕｅｔｏｏｔｈ　ホスト５２に返信し（ステップＳ３５）、同Ｂｌｕｅｔｏｏｔｈ　ホスト５２が、これを受けて通信端末５０のＭＰＵ５９に切断応答を返信する（ステップＳ３６）。通信端末５０は、ステップＳ３２の回線切断要求に対して応答を無線基地局８０へ返信し（ステップＳ３７）、同無線基地局８０が接続要求元の携帯電話機７０に回線切断応答を返信する（ステップＳ３８）。以上の手順で、携帯電話機７０と通信端末５０との間の回線切断が完了する。
【００４５】
以上のように、この第２の実施形態では、通信端末５０が電話回線Ｗを介して無線基地局８０に接続され、同無線基地局８０及び同通信端末５０を介してデジタルカメラ６０に遠隔制御を行う携帯電話機７０が設けられているので、Ｂｌｕｅｔｏｏｔｈ　仕様の距離を超えた場所から同デジタルカメラ６０を遠隔制御できる。
【００４６】
以上、この発明の実施形態を図面により詳述してきたが、具体的な構成はこの実施形態に限られるものではなく、この発明の要旨を逸脱しない範囲の設計の変更などがあってもこの発明に含まれる。
例えば、図１中の携帯電話機２０，３０は、携帯電話機の機能を有するＰＤＡ（Ｐｅｒｓｏｎａｌ　Ｄｉｇｉｔａｌ　Ａｓｓｉｓｔａｎｔｓ　）などでも良い。また、図４中のステップＡ４，Ａ５，Ａ６は一例であり、任意の順序で良い。また、図１中の無線基地局４０及び図５中の無線基地局８０は、インターネットに接続されていても良い。また、携帯電話機７０の多機能コネクタにパソコンを接続し、このパソコンからデジタルカメラ６０を遠隔操作しても良い。また、図５中のデジタルカメラ６０は、Ｂｌｕｅｔｏｏｔｈ　仕様の遠隔操作の対象になるものであれば、任意のもので良い。
【００４７】
【発明の効果】
以上説明したように、この発明の構成によれば、第１の携帯端末の第１の近距離無線通信手段と第２の携帯端末の第２の近距離無線通信手段との間の無線接続の手続を通信回線を介して行うので、同第１の近距離無線通信手段と同第２の近距離無線通信手段との無線接続に必要な操作及び時間を短縮できる。
【００４８】
また、通信端末が通信回線に接続され、同通信回線及び同通信端末を介して無線端末に遠隔制御を行う制御用端末が設けられているので、所定の距離を超えた場所から同制御用端末を遠隔制御できる。
【図面の簡単な説明】
【図１】この発明の第１の実施形態である携帯端末システムの電気的構成を示すブロック図である。
【図２】図１中の携帯電話機２０の電気的構成を示すブロック図である。
【図３】図１中の携帯電話機３０の電気的構成を示すブロック図である。
【図４】図１の携帯端末システムの動作を説明するためのフローチャートである。
【図５】この発明の第２の実施形態である無線端末遠隔制御システムの電気的構成を示すブロック図である。
【図６】図５中の通信端末５０の電気的構成を示すブロック図である。
【図７】図５中のデジタルカメラ６０の電気的構成を示すブロック図である。
【図８】図５中の携帯電話機７０の電気的構成を示すブロック図である。
【図９】図５の無線端末遠隔制御システムの動作を説明するためのシーケンス図である。
【図１０】Ｂｌｕｅｔｏｏｔｈ　仕様の命令を送信するためのフレームフォーマットの一例を示す図である。
【図１１】従来の携帯端末システムの構成図である。
【図１２】従来の無線端末遠隔制御システムの構成図である。
【符号の説明】
２０，３０　　　携帯電話機（携帯端末）
２１，３１，５１，６１　　　送受信部（近距離無線通信手段）
２２，３２，５２，６２　　　Ｂｌｕｅｔｏｏｔｈ　ホスト（近距離無線通信手段）
２３，３３，５３，７１　　　プロトコル処理部
２４，３４　　　送受信部
２５，３５，５５，７３　　　メモリ
２６，３６，５６，７４　　　表示部
２７，３７，５７，７５　　　音声部
２８，３８，５８，７６　　　キー入力部
２９，３９，５９，６４，７７　　　ＭＰＵ（マイクロプロセッサ）
４０，８０　　　無線基地局（通信回線）
５０　　　通信端末
５４，７２　　　電話回線接続部
６０　　　デジタルカメラ（無線端末）
６３　　　撮像部
７０　　　携帯電話機（制御用端末）
【図１】
2004088172.tif 000003
【図２】
2004088172.tif 000004
【図３】
2004088172.tif 000005
【図４】
2004088172.tif 000006
【図５】
2004088172.tif 000007
【図６】
2004088172.tif 000008
【図７】
2004088172.tif 000009
【図８】
2004088172.tif 000010
【図９】
2004088172.tif 000011
【図１０】
2004088172.tif 000012
【図１１】
2004088172.tif 000013
【図１２】
2004088172.tif 000014